(57)【要約】【課題】  建築物の多様な外部仕上材に対応する下地として利用でき、外部仕上材と木造軸組などの間に断熱層を形成してヒートブリッジが最小限となる方法で外部仕上材を木造軸組などに支持させ外断熱工法をより効果的にすることと、季節の変化に応じて太陽エネルギーの有効利用を可能にすること。【解決手段】  断熱材（Ｃ）と一体化した版状の外部仕上の下地（Ｂ）の外部側に外部仕上材を釘やビスで固定するための力骨を兼ねるリブ状の突起（２）を設け、そのリブ状の突起位置で木造軸組など（Ｄ）に直接固定できるように構造的支持部（Ａ）を配置した一体型のリブ付外断熱用外壁および屋根下地パネルとする。リブ状の突起によって外部仕上材との間に形成される空間（Ｅ）を、夏期は日射による外部仕上面の温度上昇によるエネルギーロスを緩和する排熱層として、冬期は昼間の日射エネルギーを利用したパッシブソーラーシステムの集熱層としての利用を可能にする。【選択図】          図７
2004156433.tif 000002
【特許請求の範囲】
【請求項１】
版状の外部仕上の下地の内側に断熱層を設け、ヒートブリッジを最小限とするために、断熱層を貫通する唯一の要素である構造的支持部を点状に配置して柱や間柱、母屋、垂木など（以下、木造軸組など、という。）に直接固定し、外部仕上材と木造軸組などの間に断熱層を形成して建築物の外壁および屋根の断熱効果を高め、かつ多様な外部仕上材に対応する外断熱用外壁および屋根下地パネルの構造。
【請求項２】
請求項１の版状の外部仕上の下地として、薄板の外部側に外部仕上材を釘やビスで固定するための力骨を兼ねるリブ状の突起を版の短辺と平行に一定間隔で設け、そのリブ位置に構造的支持部を配置して木造軸組などに直接固定できるようにした一体型のリブ付き版を使用し、リブ状の突起によって外部仕上材との間に形成される空間を、夏期は日射による外部仕上面の温度上昇によるエネルギーロスを緩和する排熱層として、冬期は昼間の日射エネルギーを利用したパッシブソーラーシステムの集熱層としての利用を可能にする外断熱用外壁および屋根下地パネルの構造。
【請求項３】
請求項２のリブ状の突起の長さは外断熱用外壁および屋根下地パネルの短辺方向の働き幅より短くして、配置した場合に、窓下などでも対流空気が左右の空間に容易に流れるようにして暖気の対流を妨げない構造とする。
【請求項４】
外断熱用外壁および屋根下地パネルは表裏面および小口全てを防水・防腐処置を施し、縦方向および横方向の張り継ぎ部には相欠きを設けて雨水の浸入を防止する構造とする
【発明の詳細な説明】
【技術分野】
【０００１】
本発明は、木造および軽量鉄骨造建築物等の外壁および屋根の外断熱工法および太陽エネルギーの有効利用に関する技術である。
【背景技術】
【０００２】
建築物の外壁および屋根の断熱工法にあって、壁体および小屋裏などの蓄熱性を考慮すると、内断熱工法よりも外断熱工法を用いる方が遥かに効率が良いことは周知の事実である。しかし、一般に使用されている断熱材は耐候性や美観上および構造的強度等の欠点があり、そのまま外部仕上材として使用したり、外部仕上材の多様性および重量などを考慮すると直接に外部仕上を支持することもできないため、他の材料を用いて覆い隠すか内部充填材としての使用しかできない。
【０００３】
従来の外断熱工法はおよそ４通りに分類でき、第１は木造軸組などの外側に外部仕上用の下地組を行いその隙間に断熱材を充填する。第２は木造軸組などの外側に版状の断熱材を配置しその外側に断熱材を挟み込む形で下地組を行う。第３は仕上材と断熱材を組合わせた断熱パネルを木造軸組などに固定する。第４は断熱材の外側に吹き付けや接着などの方法で直接外部仕上げ行うなどの方法である。
【０００４】
しかし第１の方法では外部仕上と木造軸組などの間に有効な断熱層を設けることが難しく、ヒートブリッジが発生して断熱効果が損なわれる上施工性も悪い。第２の方法ではヒートブリッジは抑えられるが、断熱材を挟み込む形で下地組を行うため、外部仕上の多様性、特に重量のある仕上材を支持するには固定用部材である釘やビスなどの強度上の問題があると同時に施工性が悪い。第３の方法は工業化住宅のように木造軸組などと仕上材の間に断熱材を挟み込み一体型のパネルとして予め工場で製作するか、断熱材と仕上材を張合わせたものを現場で木造軸組などに固定する方法があるが仕上材が限られるという欠点がある。第４の方法は断熱材に一定の構造的強度を要求し、限られた外部仕上材にしか対応できない。
【特許文献１】特開２００３−２３２０９４号公報
【特許文献２】特開２００３−２９３４７１号公報
【特許文献３】特開２００３−２９３４７２号公報
【発明の開示】
【発明が解決しようとする課題】
【０００５】
建築物の多様な外部仕上材に対応する下地として利用でき、外部仕上材と木造軸組などの間に断熱層を形成してヒートブリッジが最小限となる方法で外部仕上材を木造軸組などに支持させて外断熱工法をより効果的にすることと、季節の変化に応じて太陽エネルギーの有効利用を可能にすること。
【課題を解決するための手段】
【０００６】
外断熱用外壁および屋根下地パネルの構造は、版状の外部仕上の下地（Ｂ）の内側に断熱層（Ｃ）を材料に応じ接着または型内発砲により取り付ける。断熱層（Ｃ）は硬質断熱材とし、構造的支持部（Ａ）の内端までの厚さを持つものとする。
【０００７】
ヒートブリッジを最小限とするために、外断熱用外壁および屋根下地パネルの版状の外部仕上の下地（Ｂ）に木造軸組などに固定する目的で、断熱層を貫通する点状に配置された構造的支持部（Ａ）は以下に示す構成とする。構造的支持部（Ａ）の大きさや配置間隔は外部仕上材の重量などを考慮して決めるものとし、固定用の釘やビスを使用するための貫通孔（３）と釘やビスの頭を沈めるための凹み（４）を有し、その長さは断熱層（Ｃ）の厚さと同じくして木造軸組など（Ｄ）に直接達せしめるものとし、版状の外部仕上の下地（Ｂ）の内側に一体成型または接着によりしっかりと固定する。
【０００８】
夏期は日射による外部仕上面の温度上昇によるエネルギーロスを緩和する排熱層として、冬期は昼間の日射エネルギーを利用したパッシブソーラーシステムの集熱層としての利用を可能にする版状の外部仕上の下地（Ｂ）は以下に示す構成とする。薄板（１）の外部側に外部仕上材を釘やビスで固定するための力骨を兼ねるリブ状の突起（２）を設け、そのリブ状の突起（２）の位置に木造軸組など（Ｄ）に直接固定できるように構造的支持部（Ａ）を配置した一体型のリブ付き版とする。リブ状の突起は木造軸組などの下地の間隔や外部仕上材の釘やビスの止め付け間隔に合わせて版の短辺と平行に設けることにより、外部仕上材との間に暖気の対流のための空間（Ｅ）を造り出す。
【０００９】
リブ状の突起（２）の長さは外断熱用外壁および屋根下地パネルの短辺方向の働き幅よりも短くして、配置した場合にリブ状の突起が連続しないようにして、窓や天窓あるいは換気扇その他の設備開口などがあっても、窓下や開口部下などで対流空気が左右の空間（Ｅ）に容易に流れるようにして暖気の対流を妨げない構造とする。
【００１０】
サッシュ等の開口部廻りに使用する細幅のリブなし下地パネルは以下の構造とする。薄板（１）の内側に木造軸組などに固定するための構造的支持部（Ａ’）を一体成型または接着によりしっかりと固定し、その内側に断熱層（Ｃ）を材料に応じ接着または型内発砲により取り付ける。構造的支持部（Ａ’）は固定用の釘やビスを使用するための貫通孔（３）を有し、薄板（１）の外側には建具等固定外枠（Ｇ）を取付け、サッシュなどを固定できるようにする。
【００１１】
内外の温度差によりパネルの表面に結露が生じ、それによって断熱性能が損なわれることがない様に外断熱用外壁および屋根下地パネルは表裏面および小口全てを防水・防腐処置を施し、縦方向および横方向の張り継ぎ部には相欠きを設けて、外部仕上材を貫通した雨水がパネルの外側の空間（Ｅ）で下方に導かれ最下部で排出され、内側へ浸入することを防止する構造とする。
【発明の効果】
【００１２】
本発明の下地パネルを使用する事により木造および軽量鉄骨造建築物等の外壁および屋根の外断熱工法をより簡便かつ効果的にする上、断熱層と外部仕上材との間に空間を設けたことで、パッシブソーラーシステムの集熱および排熱層としての機能を持ち、季節の変化に応じた太陽エネルギーの有効利用を可能にする。
【発明を実施するための最良の形態】
【００１３】
版状の外部仕上の下地（Ｂ）と断熱層（Ｃ）を一体化して基準モジュールに合わせた規格寸法により製作し、木造および軽量鉄骨造建築物等の外壁および屋根の木造軸組などに直接取付ができるものとし、取付工事を簡便化すると同時に高性能の外断熱を提供する。
【実施例１】
【００１４】
図６は木造建築物の開口部を有しない外壁一般部の外断熱用外壁下地パネルの取付け例である。
【００１５】
木造軸組などの外側に本発明の外断熱用外壁下地パネルを取付け、断熱層を貫通するのは構造的支持部（Ａ）のみで、ヒートブリッジを最小限に抑えることができる。さらに構造的支持部（Ａ）のピッチを変えることで重量のある外部仕上材の使用も可能である。
【００１６】
また、外部仕上の下地（Ｂ）の外部側に外部仕上材を釘やビスで固定するための力骨を兼ねるリブ状の突起（２）を設けることにより、外部仕上材との間に暖気の対流のための空間（Ｅ）を造り出す。
【実施例２】
【００１７】
図７は木造建築物の開口部を有する外壁部（窓廻り）の外断熱用外壁下地パネルの取付け例である。
【００１８】
サッシュ等の開口部廻りには細幅のリブなし下地パネルを使用し、外側にはサッシュ取付け外枠（Ｇ）を現場施工にて取付けられるようにして、開口部廻りでのヒートブリッジを最小限に抑えることができる。
【００１９】
また、リブ状の突起（２）の長さが外断熱用外壁下地パネルの短辺方向の働き幅よりも短くしているため、窓下や開口部下などで対流空気が左右の空間（Ｅ）に容易に流れるようにして暖気の対流を妨げない構造となっている。
【産業上の利用可能性】
【００２０】
外断熱用外壁および屋根下地パネルとして、標準モジュールに合わせた製品を提供することで、外断熱工法におけるヒートブリッジが最小限に抑えられ、かつ施工の簡便性と多様な外部仕上げへの対応、さらにパッシブソーラーシステムの集熱および排熱層として太陽熱の有効利用も可能であるため、省エネルギー化を計る建築物への広範な利用が考えられる。
【図面の簡単な説明】
【００２１】
【図１】版状の外部仕上の下地に構造的支持部Ａを設けた実施例を示す。  （ａ）  構造的支持部Ａの平面図を示す。  （ｂ）  ｙ−ｙ断面図を示す。  （ｃ）  ｘ−ｘ断面図を示す。
【図２】版状の外部仕上の下地（リブ付）に構造的支持部Ａを設けた実施例を示す。  （ａ）  構造的支持部Ａの平面図を示す。  （ｂ）  ｙ−ｙ断面図を示す。  （ｃ）  ｘ−ｘ断面図を示す。
【図３】標準モジュール用の外断熱用外壁および屋根下地パネルの実施例を示す。  （ａ）  平面図を示す。  （ｂ）  側面図を示す。  （ｃ）  正面図を示す。
【図４】２分の１モジュール用の外断熱用外壁および屋根下地パネルの実施例を示す。  （ａ）  平面図を示す。  （ｂ）  側面図を示す。  （ｃ）  正面図を示す。
【図５】下地パネルの張継ぎ部に相欠きジョイントを設けた実施例を示す。  （ａ）  縦方向張継ぎ部の相欠きジョイントを示す。  （ｂ）  横方向張継ぎ部の相欠きジョイントを示す。
【図６】（ａ）  木造軸組などへの配置の実施例を示す。  （ｂ）  ｙ−ｙ断面図を示す。  （ｃ）  ｘ−ｘ断面図を示す。
【図７】（ａ）  窓などの開口部廻りの配置の実施例を示す。  （ｂ）  ｙ−ｙ断面図を示す。  （ｃ）  ｘ−ｘ断面図を示す。
【符号の説明】
【００２２】
１    薄板
２    リブ状の突起
３    固定用の釘やビスを使用するための貫通孔
４    固定用の釘やビスの頭を沈めるための凹み
５    張継ぎ部の相欠きジョイント雄部
６    張継ぎ部の相欠きジョイント雌部
Ａ    構造的支持部
Ａ’  構造的支持部（リブなしパネル）
Ｂ    版状の外部仕上の下地
Ｃ    断熱層
Ｄ    木造軸組など
Ｅ    空間
Ｆ    外部仕上材
Ｇ    建具等固定外枠（現場施工）
Ｈ    サッシュ廻り断熱材充填（現場施工）
【図１】
2004156433.tif 000003
【図２】
2004156433.tif 000004
【図３】
2004156433.tif 000005
【図４】
2004156433.tif 000006
【図５】
2004156433.tif 000007
【図６】
2004156433.tif 000008
【図７】
2004156433.tif 000009
【手続補正書】
【提出日】平成16年3月18日(2004.3.18)
【手続補正１】
【補正対象書類名】特許請求の範囲
【補正対象項目名】請求項１
【補正方法】変更
【補正の内容】
【請求項１】
版状の外部仕上の下地の内側に断熱層を設け、ヒートブリッジを最小限とするために、断熱層を貫通する唯一の要素である構造的支持部を点状に最小限に配置する。この構造的支持部は版状の外部仕上の下地の内側に断熱層の厚さと同じ長さの突起として一体成型または接着によりしっかりと固定し、その中心に外側から柱や間柱、母屋、垂木など（以下、木造軸組など、という。）に直接固定できるように、釘やビス又はボルトを使用するための貫通孔と釘やビス又はボルトの頭を沈めるための凹みを設ける。構造的支持部の配置を木造軸組などの間隔に合わせることにより、木造軸組などに直接固定できて、外部仕上材と木造軸組などの間に一定厚さで切れ目のない断熱層を形成して建築物の外壁および屋根の断熱効果を高め、かつ多様な外部仕上材に対応する外断熱用外壁および屋根下地パネルの構造
【手続補正２】
【補正対象書類名】明細書
【補正対象項目名】０００４
【補正方法】変更
【補正の内容】
【０００４】
しかし第１の方法では外部仕上と木造軸組などの間に有効な断熱層を設けることが難しく、ヒートブリッジが発生して断熱効果が損なわれる上施工性も悪い。第２の方法ではヒートブリッジは抑えられるが、断熱材を挟み込む形で下地組を行うため、外部仕上の多様性、特に重量のある仕上材を支持するには固定用部材である釘やビス又はボルトなどの強度上の問題があると同時に施工性が悪い。第３の方法は工業化住宅のように木造軸組などと仕上材の間に断熱材を挟み込み一体型のパネルとして予め工場で製作するか、断熱材と仕上材を張合わせたものを現場で木造軸組などに固定する方法があるが仕上材が限られるという欠点がある。第４の方法は断熱材に一定の構造的強度を要求し、限られた外部仕上材にしか対応できない。
【手続補正３】
【補正対象書類名】明細書
【補正対象項目名】０００６
【補正方法】変更
【補正の内容】
【０００６】
外断熱用外壁および屋根下地パネルの構造は、版状の外部仕上の下地（Ｂ）の内側に断熱層（Ｃ）を材料に応じ接着または型内発砲により取り付ける。断熱層（Ｃ）は硬質断熱材とし、版状の外部仕上の下地（Ｂ）を木造軸組など（Ｄ）に直接固定する目的で設けた構造的支持部（Ａ）の内端までの厚さを持つものとする。
【手続補正４】
【補正対象書類名】明細書
【補正対象項目名】０００７
【補正方法】変更
【補正の内容】
【０００７】
ヒートブリッジを最小限とするために、外断熱用外壁および屋根下地パネルの版状の外部仕上の下地（Ｂ）に木造軸組などに固定する目的で、断熱層を貫通する点状に配置された構造的支持部（Ａ）は以下に示す構成とする。構造的支持部（Ａ）は版状の外部仕上の下地（Ｂ）の内側に突起状に一体成型または接着によりしっかりと固定する。その大きさや配置間隔は木造軸組などの配置と外部仕上材の重量および強度などを考慮して決めるものとし、その突起部分の長さは断熱層（Ｃ）の厚さと同じくして木造軸組など（Ｄ）に直接達せしめるものとする。また構造的支持部（Ａ）には、その中心に外面から木造軸組など（Ｄ）に直接固定できるように釘やビス又はボルトを使用するための貫通孔（３）と釘やビス又はボルトの頭を沈めるための凹み（４）を設ける。
【手続補正５】
【補正対象書類名】明細書
【補正対象項目名】００１０
【補正方法】変更
【補正の内容】
【００１０】
サッシュ等の開口部廻りに使用する細幅のリブなし下地パネルは以下の２タイプを適宜使用する。第１は薄板（１）の内側に木造軸組などに固定するための構造的支持部（Ａ’）を一体成型または接着によりしっかりと固定し、同じ内側に断熱層（Ｃ）を材料に応じ接着または型内発砲により取り付ける。構造的支持部（Ａ’）は固定用の釘やビスを使用するための貫通孔（３）を有し、薄板（１）の外側には建具等固定外枠（Ｇ）を取付け、サッシュなどを固定できるようにする。第２は薄板（１）とリブ状の突起（２）とを加えた厚さを持つ厚板の内側に構造的支持部（Ａ）を一体成型または接着によりしっかりと固定し、同じ内側に断熱層（Ｃ）を材料に応じ接着または型内発砲により取り付けたもので厚板部分は建具等固定外枠（Ｇ）を兼用する。
【手続補正６】
【補正対象書類名】図面
【補正対象項目名】図５
【補正方法】変更
【補正の内容】
【図５】
2004156433.tif 000010